(57)【要約】【課題】  各々の操作状態における操作キーの動作内容をユーザに容易に理解させることができ、しかも、携帯機器を大型化することもなく、簡単な制御で実現できるようにした携帯端末を得る。【解決手段】  携帯機器は、文字、画像等を表示する表示部、筐体に対しそれぞれ固定の位置に設けられ、操作されることにより所定の動作を指令する複数の操作キー、及びこの操作キーの上記筐体外部から視認可能な形状を表した表示キーとともに、当該操作キーが操作されることにより実行される所定の動作の内容を上記表示部に表示する操作ガイド実行部を備えた。【選択図】          図４
2008099304.tif 000002
【特許請求の範囲】
【請求項１】
文字、画像等を表示する表示部、
筐体に対しそれぞれ固定の位置に設けられ、操作されることにより所定の動作を指令する複数の操作キー、
及びこの操作キーの上記筐体外部から視認可能な形状を表した表示キーとともに、当該操作キーが操作されることにより実行される所定の動作の内容を上記表示部に表示する操作ガイド実行部
を備えたことを特徴とする携帯機器。
【発明の詳細な説明】
【技術分野】
【０００１】
この発明は、操作キーを操作することにより、各々の操作状態に応じて割り当てられた所定の動作を実行する携帯電話機等の携帯機器に関する。
【背景技術】
【０００２】
携帯電話機に代表される携帯機器は、益々高度化し、多数の機能が組み込まれている。従って、この機能を全てユーザが使いこなすことは困難であり、又、使用頻度の少ない機能の操作は覚えていても忘れてしまう。このため、ユーザが全ての機能を容易に使いこなせるように、携帯機器には機能を使いこなす操作をガイダンスする操作ガイドが組み込まれている。
【０００３】
従来の操作ガイド手段として、メニュー画面が表示された状態で第１指示キーが操作されると、メニュー画面が解説画面に移行し、解説画面が表示された状態で第２指示キーが操作されると、解説画面が設定画面に移行して、所望の動作状態を容易に設定できる携帯型通信端末がある（例えば、特許文献１参照）。
【０００４】
また、他の従来技術として、ヘルプコンテンツとこれに対応したヘルプブラウザを利用することにより、コンテンツに応じた操作キーのみを指定したり、その他のキー操作を無効にでき、利用者の操作を容易にするだけではなく、誤動作を防止できる携帯端末がある（例えば、特許文献２参照）。
【０００５】
【特許文献１】特開２００１−１４７７９７号公報（第３−４頁、第４図）
【０００６】
【特許文献２】特開２００１−１０９７１０号公報（第４−５頁、第５図）
【発明の開示】
【発明が解決しようとする課題】
【０００７】
特許文献１の携帯型通信端末において、ユーザは、解説画面を見るとメニュー画面に表示された機能がどのような機能であるのかを理解できるが、該機能における操作キーの動作内容は理解できないので、キー操作に不慣れなユーザは、機能や操作が複雑化されるのに伴って携帯型通信端末の機能を使いこなすことが困難になっているという問題点があった。
【０００８】
また、特許文献２の携帯端末において、ユーザは、ヘルプコンテンツによって操作キーに割り当てられた動作内容を知ることはできるものの、ソフトキーに関しては、該当するソフトキーに設けられたＬＥＤ（Ｌｉｇｈｔ  Ｅｍｉｔｔｉｎｇ  Ｄｉｏｄｅ）を点灯することで該当するソフトキーをユーザに通知しているので、ＬＥＤをソフトキー毎に個別に設ける必要があり携帯端末が大型化してしまうという問題点があった。しかも、ＬＥＤを操作キー毎に個別に制御する必要があるので、ＬＥＤの制御が複雑になってしまうという問題点があった。
【０００９】
この発明は、上記のような問題点を解消するためになされたもので、各々の操作状態における操作キーの動作内容をユーザに容易に理解させることができ、しかも、携帯機器を大型化することもなく、簡単な制御で操作ガイドを実現できるようにした携帯機器を得ることを目的とするものである。
【課題を解決するための手段】
【００１０】
この発明の請求項１に係る携帯機器は、文字、画像等を表示する表示部、筐体に対しそれぞれ固定の位置に設けられ、操作されることにより所定の動作を指令する複数の操作キー、及びこの操作キーの上記筐体外部から視認可能な形状を表した表示キーとともに、当該操作キーが操作されることにより実行される所定の動作の内容を上記表示部に表示する操作ガイド実行部を備えたものである。
【発明の効果】
【００１１】
この発明の請求項１に係る携帯機器は、操作キーの筐体外部から視認可能な形状を表した表示キーとともに、当該操作キーが操作されることにより実行される所定の動作の内容を表示部に表示するようにしたので、ユーザは、操作キーと所定の動作内容との対応を視覚的に確認でき、各々の操作状態で変化する操作キーの動作内容を容易に理解することができ、しかも、携帯機器の小形化を妨げることもない。
【発明を実施するための最良の形態】
【００１２】
実施の形態１．
図１は、この発明に係る携帯機器としての携帯電話機を示すブロック図である。図において、携帯電話機にはアンテナ１が設けられ無線信号の送受信を行う。アンテナ１に接続された無線部２は、送受信する無線信号を処理する。無線部２を介して受信した音声信号は復調部３で音声信号に復調して制御部４へ出力する。制御部４は音声信号をレシーバ５へ送り、該レシーバ５から音声が出力する。一方、マイク６から入力された音声は音声信号に変換され制御部４を介して変調部７へ入力する。変調部７は音声信号を変調して無線部２へ出力する。シンセサイザ８は変復調のための発振信号を出力している。また、制御部４は主に機能動作を制御する回路であり、この回路が動作するための制御プログラムがＲＯＭ（Ｒｅａｄ  Ｏｎｌｙ  Ｍｅｍｏｒｙ）９に記憶されている。表示部１０は文字、画像等の表示を行い、操作部１１は複数の操作キーを有し、ユーザからのキー操作による入力を認識して、操作ガイド実行部としても機能する制御部４に伝達する。操作ガイド記憶部１２には、各々の操作状態に応じた操作キーの動作内容を格納しており、ＲＡＭ（Ｒａｎｄｏｍ  Ａｃｃｅｓｓ  Ｍｅｍｏｒｙ）１３には、制御部４が処理中の情報等を一時的に記憶する。
【００１３】
図２は、この発明に係る携帯電話機の正面外観斜視図であり、操作部１１は、多種多様な機能を実行する操作を実現するため、テンキーのみならず機能キーや多方向キーからなっている。表示部１０はＬＣＤ（Ｌｉｑｕｉｄ  Ｃｒｙｓｔａｌ  Ｄｉｓｐｌａｙ）からなり、操作部１１の操作に応じた表示がなされる。
【００１４】
図３は、この発明に係る携帯電話機の操作ガイド記憶部１２の内部構成を示す図である。操作ガイド記憶部１２は、プログラムを格納する処理部１２１と、データを格納するデータ部１２２で構成されている。データ部１２２は、各々の操作状態に対応付けたインデックス番号００１、００２、…、Ｎ及びメール作成画面、電話帳登録画面、通話画面等の操作状態に応じた画面に対応して操作ガイドを格納している。処理部１２１は、インデックス管理部１２１ａと検索処理部１２１ｂとで構成されており、インデックス管理部１２１ａは、操作状態を示すＩＤ（Ｉｄｅｎｔｉｆｉｃａｔｉｏｎ）番号とデータ部１２２に格納されているインデックス番号００１、００２、…、Ｎとを関連付けて管理しており、検索処理部１２１ｂは、操作状態を示すＩＤ番号に基づいて、データ部１２２から操作ガイドを検索する。
【００１５】
図４は、この発明に係る携帯電話機の表示部１０に表示される画面を示す図である。（ａ）は操作状態に応じて表示する画面としてメール作成画面を示している。（ｂ）は操作状態に応じた操作ガイドとしてメール作成画面に応じた操作ガイドを示している。
【００１６】
図５は、この発明に係る携帯電話機の操作ガイドの有無を示すヘルプアイコン１４を各々の操作状態において表示する処理を示すフローチャートであり、図６は、この発明に係る携帯電話機の各々の操作状態における操作ガイドを表示するフローチャートである。
以下、図１〜６に基づいて、各操作状態から該操作状態に対応する操作ガイドを表示する処理について説明する。
【００１７】
まず、ユーザがメールを作成するために操作部１１を操作すると、制御部４は図４（ａ）のようなメール作成画面を表示部１０に表示させ（ステップ５−１）、操作状態を示すＩＤ番号をＲＡＭ１３に一時的に記憶させる。
【００１８】
制御部４は、操作ガイド記憶部１２のインデックス管理部１２１ａによって、ＲＡＭ１３に記憶したＩＤ番号と関連付けられたインデックス番号を検索し（ステップ５−２）、データ部１２２に該当するインデックス番号が存在するか否かを判定する（ステップ５−３）。
この判定で、インデックス番号が存在しないと判断されると、処理を終了する。
【００１９】
ステップ５−３の判定で、インデックス番号が存在すると判断されると、制御部４はヘルプアイコン１４を表示部１０に表示して（ステップ５−４）、処理を終了する。図４（ａ）にヘルプアイコン１４の表示例を示す。
【００２０】
このように、インデックス番号が存在するときのみヘルプアイコン１４を表示するようにすると、ユーザは、操作ガイドを見ることのできる状態にあることをヘルプキーを操作する前に認識することができる。
【００２１】
次に、操作ガイドの表示処理動作について図６に基づいて説明する。ユーザが操作部１１のヘルプキーを押下すると（ステップ６−１）、制御部４は押下された操作キーがヘルプキーか否かを判定する（ステップ６−２）。
この判定で、押下された操作キーがヘルプキーでないと判断されれば、処理を終了する。
【００２２】
ステップ６−２の判定で、押下された操作キーがヘルプキーであると判断されると、制御部４は、操作ガイド記憶部１２のインデックス管理部１２１ａによって、ＲＡＭ１３に記憶したＩＤ番号と関連付けられたインデックス番号を検索し（ステップ６−３）、データ部１２２に該当するインデックス番号が存在するか否かを判定する（ステップ６−４）。
この判定で、インデックス番号が存在しないと判断されると、処理を終了する。
【００２３】
ステップ６−４の判定で、インデックス番号が存在すると判断されると、制御部４は、操作ガイド記憶部１２の検索処理部１２１ｂによって、データ部１２２から存在したインデックス番号を検索し、操作ガイドの画面情報を読み出し（ステップ６−５）、操作部１１のキー配置１５と操作状態に応じて操作キーに割り当てられた動作内容１６とを表示部１０に表示して（ステップ６−６）、処理を終了する。図４（ｂ）に操作ガイドの表示例を示す。このように、キー配置１５と動作内容１６とを表示することにより、ユーザは、各々の操作に割り当てられた動作内容を容易に理解することができる。
【図面の簡単な説明】
【００２４】
【図１】この発明に係る携帯機器としての携帯電話機を示すブロック図である。
【図２】この発明に係る携帯電話機の正面外観斜視図である。
【図３】この発明に係る携帯電話機の操作ガイド記憶部１２の内部構成を示す図である。
【図４】この発明に係る携帯電話機の表示部１０に表示される画面を示す図である。
【図５】この発明に係る携帯電話機の操作ガイドの有無を示すヘルプアイコン１４を各々の操作状態において表示する処理を示すフローチャートである。
【図６】この発明に係る携帯電話機の各々の操作状態における操作ガイドを表示するフローチャートである。
【符号の説明】
【００２５】
４  制御部
１０  表示部
１１  操作部
１２  操作ガイド記憶部
【図１】
2008099304.tif 000003
【図２】
2008099304.tif 000004
【図３】
2008099304.tif 000005
【図４】
2008099304.tif 000006
【図５】
2008099304.tif 000007
【図６】
2008099304.tif 000008